(57)【要約】【課題】他の機器と接続する為に電子機器のキャビネット正面、背面又は側面等に設けているジャックをアースする金具であって、ジャック間隔が小さい場合であっても取付けすることが出来、ジャック筒部が嵌るアース金具の穴との隙間を小さくしてシールド効果を向上させることが出来るアース構造の提供。【解決手段】正面板１に設けているジャック穴５ａ，５ｂ・・の少なくとも上方又は下方には切欠き部８，８・・を形成し、該切欠き部底から細長い接触片７，７・・を延ばしている。この接触片７はジャック穴５に嵌るジャック筒部１１に撓み変形して接触するように、ジャック穴５の内周より内側へ突出している。【選択図】        図１
2005071651.tif 000002
【特許請求の範囲】
【請求項１】
他の機器と接続する為に電子機器のキャビネット正面、背面又は側面等に設けているジャックをアースする金具において、正面板に設けているジャック穴の少なくとも上方又は下方には切欠き部を形成し、該切欠き部底から細長い接触片を延ばすと共に、ジャック穴に嵌るジャック筒部に撓み変形して接触するように、ジャック穴の内周より内側へ突出していることを特徴とする電子機器のジャックのアース金具。
【請求項２】
他の機器と接続する為に電子機器のキャビネット正面、背面又は側面等に設けているジャックをアースする構造において、正面板に設けているジャック穴の上方及び下方には切欠き部を形成し、該切欠き部底から細長い接触片を延ばすと共に、ジャック穴に嵌ったジャック筒部には一方の接触片を撓み変形して接触させ、他方の接触片はキャビネットの金属製パネルに接触させたことを特徴とする電子機器のジャックのアース構造。
【請求項３】
他の機器と接続する為に電子機器のキャビネット正面、背面又は側面等に設けているジャックをアースする構造において、正面板に設けているジャック穴の少なくとも上方又は下方には切欠き部を形成し、該切欠き部底から細長い接触片を延ばすと共に、ジャック穴に嵌ったジャック筒部には接触片を撓み変形して接触させ、上記正面板の下端を屈曲して設けた底板を金属製シャーシに接触させたことを特徴とする電子機器のジャックのアース構造。
【発明の詳細な説明】
【０００１】
【発明の属する技術分野】
本発明は電子機器のキャビネットに形成した穴からプラグを接続することが出来るように備えたジャックのアース金具及びアース構造に関するものである。
【０００２】
【従来の技術】
図６に示すように、電子機器のフロントパネル又はリヤパネルには外部の電子機器との接続を行う為のジャックが備わっている。同図の（ａ）はフロントパネルにジャックを設けている場合、（ｂ）はリヤパネルにジャックを設けている場合を示している。フロントパネルに設ける場合には、映像入力ジャック（ヌ）、音声入力ジャック用左右ジャック（ル）、（オ）、Ｓ端子用ジャック（ワ）が取付けられている。
【０００３】
一方、リヤパネルに設ける場合には、映像入力ジャック（ヌ）、音声入力ジャック用左右ジャック（ル）、（オ）、Ｓ端子用ジャック（ワ）、及びアンテナ用入出力ジャック（カ）、（ヨ）が夫々設けられている。電磁波の障害対策として該ジャックはアースされている。このアース構造には色々あるが、一般的な構造としてはジャックハウジング筒部の外周に金具を嵌合し、該金具を介してリヤパネルと接続させた構造と成っている。
【０００４】
特開平１１−１２１１０５号に係る「アース金具付きジャック」は、図７（ａ）に示すように、アース金具（イ）に内側板バネ（ロ）と外側板バネ（ハ）を設け、アース金具（イ）はジャックと端子パネル（ニ）の間に挟みこまれ、内側板バネ（ロ）はジャック筒部（ホ）と接触し、外側板バネ（ハ）は端子パネル（ニ）と接触する構造と成っている。このアース構造では、ジャック筒部（ホ）とアース金具（イ）の穴との隙間（リ）が大きくて、アース金具によるシールド効果が十分でない。そして、上記穴の内週面の上下左右には内板バネ（ロ）、（ロ）・・が設けられる為に、ジャックの配列間隔が大きくなり、電子機器の小型化を阻害することになる。
【０００５】
又特開平６−７６８８５号に係る「電子機器」は図７（ｂ）に示しているように、アース金具（イ）に第１の当接部（ヘ）と第２の当接部（ト）を設け、アース金具はジャックと端子パネル（ニ）との間に挟みこまれ、そして第１の当接部（ヘ）は端子パネル（ニ）の内面に接触し、第２の当接部（ト）はジャック筒部（ホ）のグランドに接する構造と成っている。このアース金具は第１の当接部（ヘ）と第２の当接部（ト）を有す３次元の立体形状を成している為に、その製作が面倒であると共に、配列する複数のジャックに対応可能なアース金具とすることが容易でなく、個々のジャックごとに取付けなくてはならない。
【０００６】
さらに、実用新案登録第３０９５０００号に係る「ＲＣＡジャックとリヤパネルとの電波漏れ防止構造」は図７（ｃ）に示すように、ジャックにグランド端子に接続したアース金具（イ）を設け、端子パネル（ニ）にはツメ（チ）を設けている。そして、ジャックを端子パネル（ニ）にビス締めすると、端子パネル（ニ）のツメ（チ）がジャックのアース金具に接する構造と成っている。このアース構造では端子パネル（ニ）にツメ（チ）を設けなくてはならない。
【０００７】
このようにアース金具を用いることで、ジャックは端子パネルと接触してアースされている。ところが、上記端子パネル（リヤパネル）が樹脂製パネルのように導電性のパネルでない場合にはアースをとることは出来ない。電子機器のキャビネットのリヤパネルは金属製パネルとすることが多いが、フロントパネルはそのデザイン上樹脂製パネルが使用される。従って、正面側にジャックを設ける場合には上記アース構造では問題がある。
【０００８】
【発明が解決しようとする課題】
このように、従来の電子機器のアース構造には上記のごとき問題がある。本発明が解決しようとする課題はこの問題点であり、樹脂製のパネルにジャックの筒部が嵌っている場合であっても、又ジャック間隔が小さな場合であっても取付けることが出来、ジャック筒部が嵌るアース金具の穴との隙間を小さくしてシールド効果を向上させることが出来る電子機器のアース構造を提供する。
【０００９】
【課題を解決する為の手段】
本発明に係るアース構造は、金属板にジャック筒部が嵌るジャック穴を形成し、ジャック筒部とジャック穴との隙間が小さくしてシールド効果を向上している。そして、ジャック穴の上方又は下方の少なくとも一方側を切欠いて切欠き部を設け、そして該切欠き部の底から接触片をジャック穴方向へ延ばしている。そして接触片はジャック穴内周より内側へ突出し、ジャック穴に嵌入するジャック筒部に撓み変形して接することが出来る。
【００１０】
そして、アース金具はジャックとキャビネットパネル間に挟まれて、接触片は該キャビネットパネルに接する。すなわち、金属製のジャック筒部と金属製のキャビネットパネルはアース金具を介して接続される。一方、キャビネットパネルが樹脂製などの非導電性材質から成る場合には、接触片を接触してもアースされない為に、アース金具を下方へ延ばして金属製シャーシに接続した構造とする。以下、本発明に係る実施例を図面に基づいて詳細に説明する。
【００１１】
【実施例】
図１は本発明に係るアース金具を示す実施例である。該アース金具は概略四角形の正面板１と底板２を有したＬ型を成し、正面板１の上縁には上縁片３が、両側には側縁片４，４が背後へ折れ曲がって形成されている。そして、正面板１にはジャック穴５ａ，５ｂ，５ｃ、及びＳ端子用ジャックのジャック穴６が設けられている。そして、これらジャック穴５ａ，５ｂ，５ｃには接触片７，７・・が形成されている。
【００１２】
図２はジャック穴５ａ，５ｂ，５ｃの拡大図を表している。各ジャック穴５ａ，５ｂ，５ｃはピッチＰを有して配列され、ジャック穴５ａ，５ｂ・・の上方及び下方には切欠き部８，８・・を形成し、該切欠き部８，８・・の底から接触片７，７・・がジャック穴５ａ，５ｂの中心側へ延びている。そして、接触片７，７・・の先端はジャック穴５ａ，５ｂ・・の内周９より内側へ突出し、該ジャック穴５ａ，５ｂ・・に嵌るジャック筒の外周面に撓み変形して接することが出来る。
【００１３】
上記接触片７は切欠き部８の底から延びている為にその長さＬは長く成り、ジャック穴５に嵌るジャック筒に接触する際には撓み変形し、接触不良となることはない。すなわち、細くて長い接触片７は、嵌るジャック筒の太さに応じて自由に撓み変形して接触することが出来る。そして、切欠き部８，８の方向を上方と下方に設けることで、各ジャック穴５ａ，５ｂ・・間ピッチＰは小さく成り、ひいてはジャックを小さなピッチＰにて配列可能となる。
【００１４】
一方、Ｓ端子用ジャックのジャック穴６は上記ジャック穴５に比較して大きく、しかも接触片１０は下側に設けられている。該接触片１０の場合、下方へ大きく切込んだ切欠き部ではない為に、後方へ屈曲してジャック筒に接触し易くしている。
【００１５】
図３はジャック筒部１１がジャック穴５に嵌入した場合を示している。アース金具Ａはジャック筒部１１に取付けられ、ジャック穴５にはジャック筒部１１が嵌入している。該アース金具Ａには前記図１に示したような底板２を設けておらず、ジャック筒部１１に取付けられたアース金具ＡはジャックＢとリヤパネル１２とで挟まれている。リヤパネル１２には穴が貫通していて、ジャック筒部１１は該穴から突出している。
【００１６】
そしてアース金具Ａに形成している接触片７，７はジャック筒部１１に接触しているが、細くて長い接触片７，７はジャック筒部１１に接することで撓み変形することが出来る。上下２本の接触片７，７の内で、一方はジャックＢ側へ撓み、他方の接触片７はリヤパネル側へ撓み変形している。そして、両接触片７，７はジャック筒部１１に接し、リヤパネル１２側へ撓んでいる接触片７は該リヤパネル１２にも接している。
【００１７】
ここで、リヤパネル１２は金属製である為に、ジャック筒部１１はアース金具Ａを介在することでリヤパネル１２と接続してアースされる。そして、ジャック穴５にジャック筒部１１が嵌った状態での隙間１３は小さく、該隙間１３からの電磁波の侵入を防止したシールド効果が向上する。本発明は、この隙間１３を小さくする為にジャック穴５の上下方向へ切欠き部８，８を形成し、該切欠き部底から延びる細くて長い接触片７，７を設けている。
【００１８】
隙間１３を大きくとるならば、切欠き部を設けると共に該切欠き部底から接触片を形成する必要はない。すなわち、大きな隙間の範囲内で長い接触片を設けることが出来、ジャック穴に嵌るジャック筒部に撓み変形して接触出来る。しかし、該隙間が大きくなることで、シールド効果を損なわれる。本発明では、シールド効果とジャック穴に嵌るジャック筒部との良好な接触を両立させることが可能となる。
【００１９】
ところで、図３に示すように両接触片７，７の撓み方向を互いに反対向きにするには、アース金具Ａのジャック穴５にジャック筒部１１を嵌入する際に、斜め方向から行うことが出来る。ジャック穴５の中心軸と平行にジャック筒部１１を挿入すると、両接触片７，７は一方側へ撓んでしまう。勿論、リヤパネル１２の側へ撓み変形するのであれば、２本の接触片７，７の先端はリヤパネル１２に接する為に問題はない。
【００２０】
図４は本発明に係るアース金具Ａを使用した別形態のアース構造を示している。この場合のリヤパネル１４は樹脂製であって、導電性の材質ではない。その為に、アース金具Ａは前記図１に示したＬ型を成して、底板２は金属製のシャーシ１５に接している。この場合に、ジャック穴５の下方に切欠き部８を形成し、この切欠き部底から接触片７を延ばしていて、該接触片７の先端は撓み変形してジャック筒部１１に接している構造は前記実施例の場合と同じである。そして底板２はシャーシ１５とＬ型リヤパネル１４の底板との間に挟み込まれている。
【００２１】
図５は（ａ）に示すＳ端子用ジャックのアース金具（ｂ），及びそのアース構造（ｃ）を示している実施例である。Ｓ端子用ジャックは同図に示しているように外周を樹脂層でモールドされ、下側の一部が切欠かれた形態と成っている。アース金具はＬ型形状とし、正面板１の中央にはジャック穴５が貫通して設けられ、該ジャック穴５の下側には接触片７が斜め後方へ屈曲して延びている。
【００２２】
ところで、Ｓ端子用ジャックＣは基板１６に取付けられ、正面には上記アース金具Ａが配置されて接触片７はモールドの切欠き部に位置して金属製のジャック筒部に接触する。そして底板２はシャーシ１５に接することでアースされている。Ｓ端子用ジャックＣはジャック穴５に嵌入せず、リヤパネル１４に形成している穴から突出することもない。従って、Ｓ端子がリヤパネル１４の穴からアース金具のジャック穴５を挿通してＳ端子用ジャックＣと接続される。
【００２３】
前記図１に示したアース金具は４個のジャック用として構成しているが、その個数は特に限定するものではなく、１個のジャック用金具とすることも出来る。
以上述べたように、本発明のアース金具は正面板に形成したジャック穴の上下方向には切欠き部を形成すると共に、該切欠き部底から接触片を延ばしたものであり、次のような効果を得ることが出来る。
【００２４】
【発明の効果】
本発明に係るアース金具はその正面板にジャック筒部が嵌るジャック穴を形成し、該ジャック穴の少なくとも上方又は下方に切欠き部を形成し、該切欠き部底からは接触片を延ばした形態を成している。そこで、ジャック筒部がジャック穴に嵌入するならば、ジャック穴の内周より内側へ突出している接触片は、適当に撓み変形して金属製のジャック筒部に接することが出来る。
【００２５】
ここで、キャビネットのパネルが金属製であるならば、上記接触片をジャック筒部及びパネル面に接触させることでアースすることが出来る。逆に該パネルが非導電性であるならば、そのアース金具形状をＬ型としてシャーシに接続させることでアースする。
【００２６】
本発明のアース金具では、正面板に形成したジャック穴にジャック筒部が嵌入されるが、該ジャック穴との隙間は小さくして外からの電磁波の侵入を防止している。このように、ジャック穴とジャック筒部間の隙間が小さく成っているが、上下方向に切り欠いた切欠き部の底から接触片を延ばしている為に、該接触片の長さは長く、ジャック筒部に撓み変形して接することが出来、接触不良と成ることはない。又、切欠き部及び接触片は上下方向に設けられる為に、ジャック穴の間隔（ピッチ）は小さくすることが出来、その為に基板に取付けられるジャック間隔が小さくなって電子機器を小型化できる。
【図面の簡単な説明】
【図１】本発明に係るアース金具の実施例。
【図２】ジャック穴の拡大図。
【図３】アース金具を用いたアース構造。
【図４】アース金具を用いたアース構造。
【図５】Ｓ端子用ジャックのアース金具及びアース構造。
【図６】従来のアース構造。
【図７】（ａ）は電子機器のフロントパネルにジャックを設けた場合、（ｂ）はリヤパネルにジャックを設けた場合。
【符号の説明】
１  正面板
２  底板
３  上縁片
４  側縁片
５  ジャック穴
６  ジャック穴
７  接触片
８  切欠き部
９  内周
１０  接触片
１１  ジャック筒部
１２  リヤパネル
１３  隙間
１４  リヤパネル
１５  シャーシ
１６  基板
【図１】
2005071651.tif 000003
【図２】
2005071651.tif 000004
【図３】
2005071651.tif 000005
【図４】
2005071651.tif 000006
【図５】
2005071651.tif 000007
【図６】
2005071651.tif 000008
【図７】
2005071651.tif 000009